(57)【特許請求の範囲】
【請求項１】
冷凍機構(30)における圧縮機(31)や凝縮器(32)等が機械室(16)の内部に設置されると共に、除霜水や結露水等の排水を受け止めて蒸発させる蒸発皿(50)が前記機械室(16)の下部に設置される装置において、
前記凝縮器(32)に冷却用空気を供給する第１ファン(40)および第２ファン(44)を、凝縮器(32)の空気吹出し面に対して略対角線上に位置するよう配置すると共に、第１ファン(40)は、前記圧縮機(31)の近傍で、かつ凝縮器(32)の空気吹出し面の上側に設置し、第２ファン(44)は、前記蒸発皿(50)の近傍で、かつ凝縮器(32)の空気吹出し面の下側に設置し、
前記第１ファン(40)から吹出された空気を前記圧縮機(31)に向けて吹付け、前記第２ファン(44)から吹出された空気を前記蒸発皿(50)に向けて吹付けるよう構成した
ことを特徴とする冷凍機構の送風装置。
【請求項２】
前記第２ファン(44)の空気吹出し側には、該ファン(44)から吹出された空気を前記蒸発皿(50)に向けて案内する空気案内部材(72)が装着される請求項１記載の冷凍機構の送風装置。
【発明の詳細な説明】
【０００１】
【発明の属する技術分野】
この発明は、冷凍機構の送風装置に関し、更に詳細には、食品や飲料品等を冷蔵保存するための収納室を備えた冷蔵庫等に装備されて該収納室を冷却するための冷凍機構において、該冷凍装置を構成する凝縮器に冷却用空気を供給する送風装置に関するものである。
【０００２】
【従来の技術】
食品や飲料品等の被冷蔵物品を冷蔵保存するショーケースや冷蔵庫等では、内装板と外装板との間に断熱材を配設した断熱箱体の内部に収納室を内部画成すると共に、冷凍機構における圧縮機や凝縮器および電装盤等を収納する機械室を画成した機体を、例えば前記断熱箱体の下部に設けて冷蔵庫本体が構成されている。そして、前記冷凍機構の冷凍運転のもとに前記収納室の所定位置に設置した冷却器が冷却され、収納室内の空気を該冷却器に接触させながら循環させることにより、該収納室内が設定温度に冷却されるに至る。
【０００３】
前記冷凍機構では、冷凍運転において、前記圧縮機で圧縮されて高温高圧のガス状態の冷媒が、前記凝縮器で熱を放出しながら高圧液体の冷媒に状態変化するようになっているため、例えば凝縮器の近傍に設置した送風装置(ファン)で凝縮器に空気を供給して、空気と凝縮器との間で熱交換を行なわせて該凝縮器を冷却するようになっている。そして、凝縮器との熱交換により適宜昇温された空気は、前記機体の下部に設置された蒸発皿に吹付けられてこの蒸発皿の貯留部に貯留された除霜水や結露水等の排水の蒸発に供されたり、前記圧縮機に向けて吹付けられて該圧縮機の冷却に供されるようになっている。
【０００４】
【発明が解決しようとする課題】
ところで従来の送風装置では、モータおよび該モータの回転軸に取付けられるファンブレードから構成されるファンが、凝縮器に対して基本的に１基しか装備されていなかった。このため、１基で凝縮器を効率的に冷却するためには前記ファンの大型化が必須であるから、多量の空気を供給し得る大型のファンブレードと、このファンブレードを連続的に回転させるための大型かつ高出力のモータが必要となる。従って前記ファンブレードにおいては、軽量化および高剛性化のためにアルミニウム等で製作しなければならず、製造コストが嵩む欠点を内在していた。一方前記モータにおいては、コンデンサモータ等の高価なモータを採用しなければならず、これによるコストアップも無視できない問題となっていた。また、大型のファンの採用で凝縮器の冷却は好適に行ない得るとしても、空気の吹出し方向および吹出し範囲が該ファンの空気吹出し側の正面に限られているため、蒸発皿と圧縮機の両方へ空気を効率的に吹付けることができず、蒸発皿内の排水の蒸発および圧縮機の冷却の何れも効率的になし得ない課題を内在していた。更には、モータが１基しかないため、該モータが故障した場合には凝縮器の冷却がなされず、冷凍機構の冷凍運転が停止して収納室の冷却が完全に停止してしまう欠点も指摘される。
【０００５】
【発明の目的】
本発明は、前述した課題を好適に解決するべく提案されたもので、凝縮器に冷却用空気を供給する２基の小型ファンを蒸発皿および圧縮機に隣接した部位に夫々設置し、これらのファンを介して吹出される空気を前記蒸発器と圧縮機に向けて別々に吹付けるよう構成することで、蒸発皿における排水の蒸発効率向上と圧縮機における冷却効率向上を図った冷凍機構の送風装置を提供することを目的とする。
【０００６】
【課題を解決するための手段】
前記課題を解決し、所期の目的を達成するため本発明に係る冷凍機構の送風装置は、冷凍機構における圧縮機や凝縮器等が機械室の内部に設置されると共に、除霜水や結露水等の排水を受け止めて蒸発させる蒸発皿が前記機械室の下部に設置される装置において、
前記凝縮器に冷却用空気を供給する第１ファンおよび第２ファンを、凝縮器の空気吹出し面に対して略対角線上に位置するよう配置すると共に、第１ファンは、前記圧縮機の近傍で、かつ凝縮器の空気吹出し面の上側に設置し、第２ファンは、前記蒸発皿の近傍で、かつ凝縮器の空気吹出し面の下側に設置し、
前記第１ファンから吹出された空気を前記圧縮機に向けて吹付け、前記第２ファンから吹出された空気を前記蒸発皿に向けて吹付けるよう構成したことを特徴とする。
【０００７】
【発明の実施の形態】
次に、本発明に係る冷凍機構の送風装置につき、好適な実施例を挙げて、添付図面を参照しながら以下説明する。なお本実施例では、冷凍機構が実施される装置として、冷蔵庫につき例示して説明することとする。図１は、本実施例の冷凍装置が設置される冷蔵庫を一部破断した状態で示す正面図、図２は、図１に示した冷蔵庫を一部破断した状態で示す側面図である。
【０００８】
(冷蔵庫について)
本実施例の冷蔵庫１０は、内装板１２と外装板１３との間にウレタン等の発泡断熱材１４を充填してなる断熱箱体１１と、該箱体１１が載置される機体１５から基本的に構成されている。この機体１５の内部には、冷凍機構３０の構成部品や電装箱３５等が収納される機械室１６が画成されると共に、機体１５における下面前方の左右および下面後方の左右には、該機体１５と設置床面との間に所要の間隔を設けるための複数の脚１７およびローラ１８が配設されている。そして、前記機体１５と設置床面との間に画成された空間部１９に、後述する蒸発皿５０が引出し可能に設置されるようになっている。
【０００９】
前記断熱箱体１１では、収納室２０の下方に画成された空間に、前記冷凍機構３０の構成部材である冷却器３３や、ファンモータを備えた冷気循環装置２６および冷気案内ダクト２７等が配設または形成されている。そして、冷気循環装置２６により収納室２０から空間に送り込まれた空気は、前記冷却器３３との熱交換により冷気となって収納室２０へ送り出され、該収納室２０を冷却するようになっている。また収納室２０には、冷気の通過を許容する複数の棚網７３が、上下方向の間隔を調整可能に設置し得るようになっており、食品や飲料品等の被冷蔵物品が整然と整列して収納載置される。なお前記断熱箱体１１の前部には、前方に開口する矩形状の開口部１１ａが形成され、この前方開口部１１ａの内周囲には、枠部材２３にガラス板２４を装着して構成される前扉２１と後扉２２とが夫々左右方向にスライド自在に支持されて、前方開口部１１ａを開閉し得るようになっている。
【００１０】
(冷凍機構について)
本実施例の冷凍機構３０を構成する各種部品は、図３〜図５に示すように、前記機体１５を構成するベース板２５に固定セットした状態で機械室１６内に収納されている。すなわち、左側前部に矩形状の開口部４９が形成されたベース板２５の左側後部に圧縮機３１が設置され、該ベース板２５の右側に凝縮器３２が設置される一方、この凝縮器３２と前記開口部４９との間に該凝縮器３２を冷却するための送風装置３６が設置されている。これら凝縮器３２と送風装置３６とは、左右両側が開口したコ字状のカバー部材３４で上方から覆蓋され、このカバー部材３４の装着により左右方向に開口したダクトが形成されている。また、前記カバー部材３４の前側には、前記冷凍機構３０を含む各種電装部品を制御する基板等を収納した電装箱３５が配設されている。
【００１１】
(送風装置について)
前記送風装置３６は、図３〜図５に示すように、前記カバー部材３４の左側開口部に整合する矩形状の取付基板３７に組付けられる２基のファン４０,４４から構成されている。このうち第１ファン４０は、例えば「くま取りコイル形単相誘導タイプ」の小型のモータ４１と、該モータ４１の回転軸に固定される合成樹脂成形製のファンブレード４２から構成されており、前記取付基板３７の後部上方側に形成した円形開口部３９に該ファンブレード４２を整合した状態で、ブラケット４３を利用して該基板３７に固定されている。また第２ファン４４は、前記第１ファン４０と基本構成が同一で、「くま取りコイル形単相誘導タイプ」の小型のモータ４５と、該モータ４５の回転軸に固定される合成樹脂成形製のファンブレード４６から構成されており、前記取付基板３７の前部下方側に形成した円形開口部３９に該ファンブレード４６を整合した状態で、ブラケット４７を利用して該基板３７に固定されている。従って、図３および図５から明らかなように、前記第１ファン４０および第２ファン４４は、前記凝縮器３２の空気吹出し面に対して略対角線上に配置され、第１ファン４０は空気吹出し面の上側に設置されて前記圧縮機３１の右側方に位置し、前記第２ファン４４は空気吹出し面の下側に設置されて前記開口部４９を介して蒸発皿５０の右上方に位置している。
【００１２】
このように構成された本実施例の送風装置３６では、第１ファン４０および第２ファン４４の各モータ４１,４５を同時に駆動制御して各ファンブレード４２,４６を回転させることにより、凝縮器３２の右側近傍の空気をカバー部材３４内へ順次吸引し、該凝縮器３２を通過する際に熱交換を図って凝縮器３２を冷却させるようになっている。そして、前記凝縮器３２を通過して空気吹出し面側へ流出した空気のうち、第１ファン４０を介して取付基板３７の左側に吹出された昇温空気は、主に前記圧縮機３１へ吹付けられて該圧縮機３１の冷却に供され、第２ファン４４を介して取付基板３７の左側に吹出された昇温空気は、前記開口部４９を介して主に前記蒸発皿５０の上方へ吹付けられ、該蒸発皿５０の貯留部５３に貯留された排水の蒸発に供されるようになっている。
【００１３】
(蒸発皿について)
前記機体１５の下方には、前記空間部１９に突出しかつ前方に開口した載置部２８が形成され、本実施例に係る蒸発皿５０は、この載置部２８に対して前方側から出入れ可能にセットされるようになっている(図９)。この蒸発皿５０は、図６および図７に示すように、前記載置部２８の高さ寸法を前提として全体がトレー状を呈する合成樹脂製であって、前記脚１７,１７間の間隔よりも適宜小さい幅寸法に設定された平面矩形状の本体部５１と、この本体部５１の前縁部に連設されて冷蔵庫１０の幅寸法と同一寸法に設定された横長の露受部５２とが一体的に形成され、全体が冷蔵庫１０底面の略前側半分の領域に対応するサイズとされている。そして、この本体部５１および露受部５２により、除霜水や結露水等の排水を貯留するための貯留部５３が画成されている。また、前記収納室２０の底面部から下方へ垂設した排水パイプ４８が、前記開口部４９を介して前記貯留部５３に臨んでおり、除霜により発生した除霜水や結露水が該貯留部５３内へ排出されるようになっている。
【００１４】
(本体部)
前記本体部５１における左右の側壁５４,５５および後壁５６の上端部には、水平外方へ延出する庇部５７が一体的に形成されており、蒸発皿５０全体の捻れ剛性や撓み剛性の向上が図られている。また本体部５１の底板５８には、左右方向および前後方向に延在する複数個の堰部材が、前記貯留部５３の深さ寸法と略同一高さに突出した状態で該底板５８と一体的に形成されている。すなわち、前記底板５８の前後略中央部には、左右方向に延在する３つの台形板状の第１堰部材５９,６０,６１が千鳥状に配設され、これにより貯留部５３は前後に略２分割されている。また、前記各第１堰部材５９,６０,６１を挟む前後には、前後方向に延在する３つずつの第２堰部材６２,６３,６４,６５,６６,６７が、略同間隔で並列状に配設されている。これにより前記貯留部５３は、略８分割されて区画化されている。なお、各堰部材の端部同志は連設されておらず、貯留部５３内の排水は第１堰部材５９,６０,６１または第２堰部材６２,６３,６４,６５,６６,６７の間を適宜流動して、該貯留部５３全体に均一的に貯留されるようになっている。
【００１５】
また前記第２堰部材のうち、左側前後および中央前後に位置する堰部材６２,６３,６４,６５は、図８(ａ)に示すように、垂直に形成された垂直部６８と、この垂直部６８の頂部から約４５度の角度で正面右側に下方傾斜する傾斜部６９とから形成されている。すなわち、これらの第２堰部材６２,６３,６４,６５は、図４に示すように、蒸発皿５０を載置部２８にセットした際に、ベース板２５に形成された前記開口部４９に臨んで前記送風装置３６からの空気が直接的に吹付けられる部位に位置し、かつ該空気の吹付け方向と直交方向に延在すると共に、前記第２ファン４４側へ指向した傾斜部６９は、上方へ向かうに従って送風装置３６から離間する方向へ傾斜している。これにより、前記第２ファン４４から吹付けられる昇温空気のスムーズな吹抜けが図られると共に、この昇温空気の風圧による排水の傾斜部６９への乗上あげが許容されるようになっている(図１０)。なお、前記第２堰部材のうち、右側前後に位置する堰部材６６,６７は、図４に示すように前記開口部４９に臨んでいないので、前記第１堰部材５９,６０,６１と同様に、単なる垂直の台形板状を呈している(図８(ａ))。
【００１６】
(露受部)
前記露受部５２は、図３および図５に示すように、蒸発皿５０を載置部２８にセットした際に、機体１５の前部に装着されるフロントパネル２９の外面よりも適宜前方へ延出するようになっている。また露受部５２の前端部は、後方へ向けて下方傾斜した傾斜壁７０が形成されており、例えば前記フロントパネル２９の前面に沿って流下した結露水等を受止めて貯留部５３に案内し得るようになっている(図１１)。なお、この露受部５２は、前述したように、冷蔵庫１０の全幅に略一致する幅寸法に設定されているので、蒸発皿５０を載置部２８にセットすると前記脚１７,１７の前側を覆い、冷蔵庫１０の前面側から左右の脚１７,１７が視認し得ないようになっている(図１)。そして露受部５２の左右中央には、蒸発皿５０を載置部２８に対して出入れする際に指先を掛けるための指掛部７１が形成されている。
【００１７】
【実施例の作用】
次に、前述のように構成された本実施例に係る冷凍機構の送風装置の作用につき説明する。前記蒸発皿５０は、冷蔵庫１０の運転に先立ち、前記載置部２８に対して前方側から押込むだけで容易に収納セットされる(図９)。前記載置部２８に収納された蒸発皿５０は、その本体部５１の貯留部５３が前記ベース板２５に形成した開口部４９に整合していると共に、露受部５２が機体１５の下方に画成された空間部１９の前側に位置している。従って、左右の前記脚１７,１７が露受部５２によって覆われると共に、露受部５２の前面に形成された傾斜壁７０により該露受部５２自体も目立たなくなり、冷蔵庫１０全体の外的美観の向上が図られる。
【００１８】
そして本実施例の冷蔵庫１０では、前記蒸発皿５０がセットされたもとで、前記冷凍機構３０による冷凍運転が開始されると、前記圧縮機３１→凝縮器３２→冷却器３３→圧縮機３１と冷媒が循環することにより、冷却器３３が冷媒の気化熱によって冷却される。そして、前記冷気循環装置２６により収納室２０から空間に送り込まれた空気は、冷却された冷却器３３との熱交換により冷気となって収納室２０へ送り出され、該収納室２０全体が所定温度に冷却される。
【００１９】
一方、本実施例の送風装置３６では、前記冷凍機構３０の冷凍運転開始に伴い、第１ファン４０および第２ファン４４の各モータ４１,４５が駆動してファンブレード４２,４６が回転し、吸引される空気が凝縮器３２を通過することで該凝縮器３２が冷却される。そして、凝縮器３２との熱交換により適宜昇温された空気のうち、第１ファン４０から吹出された昇温空気は、冷凍運転によって加熱した前記圧縮機３１へ吹付けられ、該圧縮機３１の冷却に供される。一方、凝縮器３２との熱交換により適宜昇温された空気のうち、第２ファン４４から吹出された昇温空気は、前記開口部４９を介して蒸発皿５０における貯留部５３の上方へ吹付けられる。
【００２０】
実施例の冷蔵庫１０では、前記前扉２１を開閉して収納室２０に対して被冷蔵物品を出入れする際に、外気温度と収納室２０内の温度との温度差により該前扉２１および後扉２２におけるガラス板２４の外面に結露が生ずる。この結露水は、前記ガラス板２４に沿って流下した後に収納室２０の底面に回収され、前記排水パイプ４８を介して蒸発皿５０の貯留部５３へ排出される。なお結露水による排水は、一度に多量に発生することは殆どないので貯留部５３全体に行渡ることはなく、前記送風装置３６における第２ファン４４を介して吹出された昇温空気の吹付けにより、比較的短時間で蒸発してしまう。
【００２１】
一方、前記冷凍機構３０が継続的に冷凍運転されると、前記冷却器３３の表面に霜が層状に成長して冷却能力が低下してしまうため、該冷却器３３への着霜量が所定値を越えた場合は除霜運転を行なう。この除霜運転によって発生した除霜水は、収納室２０の底面に一旦回収された後、前記排水パイプ４８を介して蒸発皿５０の貯留部５３に排出される。このような除霜水による排水は、一回の除霜運転により比較的多量に発生するので、前記貯留部５３全体に行渡った状態で貯留されるが、前記第１堰部材５９,６０,６１および第２堰部材６２,６３,６４,６５,６６,６７は、排水の水面から上方へ突出している。そして、貯留部５３内に貯留された所定量の排水に対し、前記送風装置３６における第２ファン４４を介して吹出された昇温空気が吹付けられると、該昇温空気の風圧により、排水の一部が前記第２堰部材６２,６３,６４,６５における傾斜部６９に乗り上げられる(図１０)。これにより、排水面の面積(昇温空気との接触面積)が広くなるので、蒸発効率の向上が図られて排水の蒸発に要する時間が短縮される。
【００２２】
一方、貯留部５３に貯留された排水を廃棄する場合は、前記蒸発皿５０を冷蔵庫１０の前側へ引出す。そして、載置部２８から引出した蒸発皿５０を持上げて運搬する際に、バランスが崩れて蒸発皿５０を前後に傾けてしまった場合には、排水の水面より突出した前記第１堰部材５９,６０,６１により該排水全体の前後方向への移動が阻止されるので、排水が波打って蒸発皿５０から零れることが好適に防止される。また、バランスが崩れて蒸発皿５０を左右に傾けてしまった場合には、排水の水面より突出した前記第２堰部材６２,６３,６４,６５,６６,６７により該排水全体の左右方向への移動が阻止されるので、排水が波打って蒸発皿５０から零れることが好適に防止される。
【００２３】
このように前記蒸発皿５０では、貯留部５３内に形成した第１堰部材５９,６０,６１および第２堰部材６２,６３,６４,６５,６６,６７により、蒸発皿５０を運搬する際に誤って該蒸発皿５０を前後または左右に傾けてしまったとしても、前記貯留部５３内に溜った排水全体の移動が阻止され、波打った排水が零れることが好適に防止される。また実施例の冷蔵庫１０では、前記送風装置３６における第２ファン４４から吹出された昇温空気の吹付けを利用して蒸発皿５０の貯留部５３内に貯留した排水を蒸発させるようになっているため、この昇温空気の風圧によって第２堰部材６２,６３,６４,６５に形成した傾斜部６９に排水が乗上がり、これにより昇温空気との接触面積が増大して蒸発効率が向上する。すなわち、蒸発皿５０の外形サイズを大きくすることなく蒸発効率の向上を図ることができる。
【００２４】
また前記冷蔵庫１０は、蒸発皿５０を載置部２８にセットした際に冷蔵庫１０の前部に位置する露受部５２が該冷蔵庫１０の全幅に亘って延在しているので、冷蔵庫１０を支える脚１７,１７の前側が好適に覆われ、冷蔵庫１０全体の外的美観の向上による質感向上が図られる。しかも、前記露受部５２が冷蔵庫１０のフロントパネル２９よりも適宜前方へ延出しているので、該フロントパネル２９の前面(外面)に付着した結露水等を好適に受けることができ、結露水で床が濡れることを防止し得る。更に、蒸発皿５０を奥側へ押し込む際には、左右に突出した露受部５２が脚１７,１７に当ってストッパとして機能し、載置部２８にセットした蒸発皿５０の位置決めが容易になされる。
【００２５】
更に本実施例では、凝縮器３２を冷却するための送風装置３６を第１ファン４０と第２ファン４４とで構成してあるので、ファンブレード４２,４６を回転させるためのモータ４１,４５として低価格の小型モータを採用することが可能となり、コスト低減および運転騒音の低減を図り得る。また各ファンブレード４２,４６においても、小型化に伴い合成樹脂成形品で対応し得るようになり、これによるコスト低減も図られる。そして、第１ファン４０から吹出される空気を圧縮機３１の冷却用に供すると共に、第２ファン４４から吹出される空気を蒸発皿５０に貯留された排水の蒸発に供することができるので、圧縮機３１の冷却効率向上および排水の蒸発効率向上が可能となる。更に、前記第１ファン４０および第２ファン４４の何れか一方が故障したとしても、他方のファンが正常に運転されることで凝縮器３２に対する冷却を継続的に行なうことが可能であるから、冷蔵庫１０の冷凍運転が急に停止することもない。
【００２６】
なお、図１２に示すように、前記ベース板２５における開口部４９の上方(第２ファン４４の空気吹出し側)に空気案内部材７２を設ければ、第２ファン４４から吹出された昇温空気の殆どが蒸発皿５０側へ通出案内され、該蒸発皿５０の貯留部５３内に貯留された排水の蒸発効率を更に向上させることが可能である。また図示しないが、第１ファン４０および第２ファン４４が、前記取付基板３７に対して適宜角度を付与した姿勢で取付け得ることを前提とすれば、例えば第１ファン４０においては、空気吹出し側を圧縮機３１に指向させた姿勢で取付基板３７に取付けることで、該圧縮機３１への昇温空気の吹付けが確実になされるから冷却効率の更なる向上が期待できる。また第２ファン４４においては、空気吹出し側を蒸発皿５０に指向させた姿勢で取付基板３７に取付けることで、貯留部５３への昇温空気の吹付けが確実になされるから蒸発効率の更なる向上が期待できる。
【００２７】
なお本実施例では、冷凍機構を装備した装置として冷蔵庫を例示したが、本発明に係る冷凍機構の送風装置は、ショーケースや空調装置および製氷機等の冷凍機構を装備した各種装置に応用可能である。
【００２８】
【発明の効果】
以上に説明した如く、本発明に係る冷凍機構の送風装置によれば、第１ファンと第２ファンとにより凝縮器の冷却を行なうようになっているので、ファンブレードを回転させるためのモータとして低価格の小型モータを採用することが可能となり、コスト低減および運転騒音の低減を図り得る利点がある。また各ファンブレードにおいても、小型化に伴い合成樹脂成形品で対応し得るようになり、これによるコスト低減も可能である。そして、第１ファンから吹出される空気を圧縮機の冷却用に供すると共に、第２ファンから吹出される空気を蒸発皿に貯留された排水の蒸発に供することができるので、圧縮機の冷却効率向上および排水の蒸発効率向上が可能となる極めて有益な効果を奏する。更に、前記第１ファンおよび第２ファンの何れか一方が故障したとしても、他方のファンが正常に運転されることで凝縮器に対する冷却を継続的に行なうことが可能であるから、冷蔵庫の冷凍運転が急に停止することもない等の利点もある。
【図面の簡単な説明】
【図１】 本発明の実施例に係る冷凍機構の送風装置が実施された冷蔵庫を一部破断して示す正面図である。
【図２】 図１に示した冷蔵庫を、収納室を破断した状態で示す側面図である。
【図３】 機体の内部に設置された冷凍装置および該機体の下部にセットした蒸発皿を一部破断して示す平面図である。
【図４】 機体の内部に設置された冷凍装置および該機体の下部にセットした蒸発皿を一部破断して示す要部正面図である。
【図５】 機体の内部に設置された冷凍装置および該機体の下部にセットした蒸発皿を一部破断して示す側面図である。
【図６】 蒸発皿の全体形状を示す概略斜視図である。
【図７】 図６に示す蒸発皿の平面図である。
【図８】 (ａ)は図７におけるＸ−Ｘ線で破断した蒸発皿の要部断面図であり、(ｂ)は図７におけるＹ−Ｙ線で破断した蒸発皿の縦断側面図である。
【図９】 蒸発皿を冷蔵庫の下部に設けた載置部にセットする状態とセットした状態とを同時に示す要部斜視図である。
【図１０】 蒸発皿に形成した第２堰部材の要部拡大断面図であって、吹付けられる空気の風圧により排水が傾斜部に乗り上がっている状態を示している。
【図１１】 設置部にセットした蒸発皿の露受部が冷蔵庫の前面より適宜前方へ延出していることにより、フロントパネルの前面に付着した結露水等を好適に受け得ることを示した要部拡大断面図である。
【図１２】 第２ファンから吹出された昇温空気を蒸発皿側へ案内する空気案内部材をベース板に装着した状態を示す要部正面図である。
【符号の説明】
１６ 機械室，３０ 冷凍機構，３１ 圧縮機，３２ 凝縮器，
４０ 第１ファン，４４ 第２ファン，５０ 蒸発皿，７２ 空気案内部材
【図１】
0003728132.tif 000002
【図２】
0003728132.tif 000003
【図３】
0003728132.tif 000004
【図４】
0003728132.tif 000005
【図５】
0003728132.tif 000006
【図６】
0003728132.tif 000007
【図７】
0003728132.tif 000008
【図８】
0003728132.tif 000009
【図９】
0003728132.tif 000010
【図１０】
0003728132.tif 000011
【図１１】
0003728132.tif 000012
【図１２】
0003728132.tif 000013